(57)【要約】【課題】送り孔の設けられた連続用紙の搬送誤差による画像の位置精度の低下を抑制することができる画像形成装置を提供する。【解決手段】帯状に連続して送り孔が設けられた連続用紙を搬送する用紙搬送手段と、前記用紙搬送手段によって搬送される前記連続用紙に画像を形成する画像形成手段と、前記送り孔の搬送方向の長さを検出する複数の送り孔検出手段と、を備え、前記複数の送り孔検出手段の検出結果の差分に基づいて、前記連続用紙に設けられた送り孔の位置を検出する。【選択図】図２
2014172200.tif 000002
【特許請求の範囲】
【請求項１】
帯状に連続して送り孔が設けられた連続用紙を搬送する用紙搬送手段と、
前記用紙搬送手段によって搬送される前記連続用紙に画像を形成する画像形成手段と、
前記送り孔の搬送方向の長さを検出する複数の送り孔検出手段と、を備え、
前記複数の送り孔検出手段の検出結果の差分に基づいて、前記連続用紙に設けられた送り孔の位置を検出する、
ことを特徴とする画像形成装置。
【請求項２】
前記複数の送り孔検出手段は送り孔の搬送方向の長さに応じたパルス信号を出力し、出力信号のパルス幅の差分に基づいて、前記連続用紙の搬送方向と直交する方向である主走査方向の搬送位置を検出する、
ことを特徴とする請求項１に記載の画像形成装置。
【請求項３】
前記複数の送り孔検出手段が出力する出力信号のパルス幅の差分に基づいて検出された前記連続用紙の主走査方向の搬送位置に基づいて、前記画像形成手段による主走査方向の画像書き出し位置を決定する、
ことを特徴とする請求項２に記載の画像形成装置。
【請求項４】
前記複数の送り孔検出手段が出力する出力信号のパルス幅に基づいて、前記連続用紙に設けられた前記複数の送り孔の主走査方向の搬送位置の平均の位置を算出する、
ことを特徴とする請求項１ないし３のいずれか１項に記載の画像形成装置。
【請求項５】
前記複数の送り孔検出手段の主走査方向における配置間隔を、前記連続用紙に設けられた送り孔の主走査方向の最大長さの１／２にした、
ことを特徴とする請求項１ないし４のいずれか１項に記載の画像形成装置。
【請求項６】
帯状に連続して送り孔が設けられた連続用紙を搬送する用紙搬送手段と、
前記用紙搬送手段によって搬送される前記連続用紙に画像を形成する画像形成手段と、
前記送り孔の搬送方向の長さを検出する複数の送り孔検出手段と、を備え、
前記複数の送り孔検出手段が出力する出力信号の時間差に基づいて、前記用紙搬送手段による前記連続用紙の搬送速度を検出する、
ことを特徴とする画像形成装置。
【請求項７】
前記複数の送り孔検出手段が出力する出力信号の時間差に基づいて検出された前記連続用紙の搬送速度に基づいて、前記用紙搬送手段による前記連続用紙の搬送速度を決定する、
ことを特徴とする請求項６に記載の画像形成装置。
【請求項８】
前記複数の送り孔検出手段のいずれかにおいて出力信号が出力されないときに、上位装置にその旨を通知する、
ことを特徴とする請求項１ないし７のいずれか１項に記載の画像形成装置。
【請求項９】
前記複数の送り孔検出手段のいずれかにおいて複数の送り孔の出力信号が出力されないとき、または前記複数の送り孔検出手段のいずれかにおいて予め定められた時間に出力信号が出力されないときに、上位装置にその旨を通知する、
ことを特徴とする請求項１ないし７のいずれか１項に記載の画像形成装置。
【発明の詳細な説明】
【技術分野】
【０００１】
本発明は、画像形成装置に関する。
【背景技術】
【０００２】
連続紙に予め記録された基準マークがセンサによって検出され、その検出結果に基づいて、装置ローディング時の連続紙の位置決めが行われる画像形成装置が知られている（特許文献１）。
印刷頁ごとに、基準時刻と送り孔を検出した検出時刻との時間差に応じて、連続用紙の搬送速度を補正する補正手段とを備えた画像形成装置も知られている（特許文献２）。
さらに、搬送方向に予め定められた間隔で複数のマークが並べられて形成される連帳紙のマークの検出結果に基づいて、連帳紙に形成する画像の位置を調整する位置補正量演算部と、連帳紙の搬送速度を調整する速度補正量演算部とを備える画像形成装置も知られている特許文献３）。
【先行技術文献】
【特許文献】
【０００３】
【特許文献１】特開２００５−２６６７１０号公報
【特許文献２】特開２００９−２９８０１３号公報
【特許文献３】特開２０１２−０７８５４５号公報
【発明の概要】
【発明が解決しようとする課題】
【０００４】
本発明は、送り孔の設けられた連続用紙の搬送誤差による画像の位置精度の低下を抑制することを目的とする。
【課題を解決するための手段】
【０００５】
前記課題を解決するために、請求項１記載の画像形成装置は、
帯状に連続して送り孔が設けられた連続用紙を搬送する用紙搬送手段と、
前記用紙搬送手段によって搬送される前記連続用紙に画像を形成する画像形成手段と、
前記送り孔の搬送方向の長さを検出する複数の送り孔検出手段と、を備え、
前記複数の送り孔検出手段の検出結果の差分に基づいて、前記連続用紙に設けられた送り孔の位置を検出する、
ことを特徴とする。
【０００６】
請求項２記載の発明は、請求項１記載の画像形成装置において、
前記複数の送り孔検出手段は送り孔の搬送方向の長さに応じたパルス信号を出力し、出力信号のパルス幅の差分に基づいて、前記連続用紙の搬送方向と直交する方向である主走査方向の搬送位置を検出する、
ことを特徴とする。
【０００７】
請求項３記載の発明は、請求項２記載の画像形成装置において、
前記複数の送り孔検出手段が出力する出力信号のパルス幅の差分に基づいて検出された前記連続用紙の主走査方向の搬送位置に基づいて、前記画像形成手段による主走査方向の画像書き出し位置を決定する、
ことを特徴とする。
【０００８】
請求項４記載の発明は、請求項１ないし３のいずれか１項に記載の画像形成装置において、
前記複数の送り孔検出手段が出力する出力信号のパルス幅に基づいて、前記連続用紙に設けられた前記複数の送り孔の主走査方向の搬送位置の平均の位置を算出する、
ことを特徴とする。
【０００９】
請求項５記載の発明は、請求項１ないし４のいずれか１項に記載の画像形成装置において、
前記複数の送り孔検出手段の主走査方向における配置間隔を、前記連続用紙に設けられた送り孔の主走査方向の最大長さの１／２にした、
ことを特徴とする。
【００１０】
前記課題を解決するために、請求項６記載の画像形成装置は、
帯状に連続して送り孔が設けられた連続用紙を搬送する用紙搬送手段と、
前記用紙搬送手段によって搬送される前記連続用紙に画像を形成する画像形成手段と、
前記送り孔の搬送方向の長さを検出する複数の送り孔検出手段と、を備え、
前記複数の送り孔検出手段が出力する出力信号の時間差に基づいて、前記用紙搬送手段による前記連続用紙の搬送速度を検出する、
ことを特徴とする。
【００１１】
請求項７記載の発明は、請求項６記載の画像形成装置において、
前記複数の送り孔検出手段が出力する出力信号の時間差に基づいて検出された前記連続用紙の搬送速度に基づいて、前記用紙搬送手段による前記連続用紙の搬送速度を決定する、
ことを特徴とする。
【００１２】
請求項８記載の発明は、請求項１ないし７のいずれか１項に記載の画像形成装置において、
前記複数の送り孔検出手段のいずれかにおいて出力信号が出力されないときに、上位装置にその旨を通知する、
ことを特徴とする。
【００１３】
請求項９記載の発明は、請求項１ないし７のいずれか１項に記載の画像形成装置において、
前記複数の送り孔検出手段のいずれかにおいて複数の送り孔の出力信号が出力されないとき、または前記複数の送り孔検出手段のいずれかにおいて予め定められた時間に出力信号が出力されないときに、上位装置にその旨を通知する、
ことを特徴とする。
【発明の効果】
【００１４】
本発明によれば、送り孔の設けられた連続用紙の搬送誤差による画像の位置精度の低下を抑制することができる。
【図面の簡単な説明】
【００１５】
【図１】画像形成装置１の概略構成の一例を示す断面模式図である。
【図２】画像形成装置１の制御系の一部の構成を示すブロック図である。
【図３】（ａ）は送り孔が設けられた連続用紙Ｐと第１の検出センサ２６及び第２の検出センサ２７との関係を示す図、（ｂ）は第１の検出センサ２６及び第２の検出センサ２７の出力信号のパルス幅と連続用紙Ｐの主走査方向の位置との関係を示す部分拡大図である。
【図４】画像の書き出し位置制御動作の一例を示すフローチャートである。
【図５】連続用紙Ｐがノミナル位置に対して左側にずれて搬送されている状態の送り孔位置と第１の検出センサ２６及び第２の検出センサ２７との位置関係を示す図である。
【図６】（ａ）は画像形成装置１Ａにおける送り孔が設けられた連続用紙Ｐと第１の検出センサ２６及び第２の検出センサ２７との関係を示す図、（ｂ）は第１の検出センサ２６及び第２の検出センサ２７の出力信号に基づいた連続用紙Ｐの搬送速度検出を説明した図である。
【図７】画像形成装置１Ａにおける第１の検出センサ２６及び第２の検出センサ２７の出力信号のパルス幅と連続用紙Ｐの主走査方向の位置との関係を示す部分拡大図である。
【発明を実施するための形態】
【００１６】
次に図面を参照しながら、以下に実施形態及び実施例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１７】
「第１実施形態」
（１）画像形成装置の全体構成及び動作
（１．１）画像形成装置の全体構成
図１は本実施形態に係る画像形成装置１の概略構成の一例を示す断面模式図である。
画像形成装置１は、帯状に連続する連続用紙Ｐに対して画像を形成する連帳プリンタであって、連続用紙Ｐを供給する給紙装置３００、給紙装置３００からの連続用紙Ｐを搬送駆動する用紙搬送ユニット２０、連続用紙Ｐにトナー像を形成する画像形成部３０、連続用紙Ｐに形成されたトナー像を定着する定着ユニット４０、トナー像が形成された連続用紙Ｐを巻き取る巻取装置４００、画像表示や指示などの入力を受付ける表示装置Ｄを備えて構成されている。
【００１８】
用紙搬送ユニット２０は、連続用紙Ｐの搬送方向上流側から下流側に沿って、バックテンションロール２４、アライニングロール２２、メインドライブロール２１、用紙搬送方向転換ロール２５が配設されている。
メインドライブロール２１は、連続用紙Ｐを予め定められた搬送速度で送り出す機能を有する。アライニングロール２２は、部分円筒状の案内部材２３と協働して連続用紙Ｐの搬送経路を保つ機能を有する。バックテンションロール２４は、メインドライブロール２１よりも低速で回転して、連続用紙Ｐに張力を付与する機能を有する。用紙搬送方向転換ロール２５は、メインドライブロール２１から送り出された連続用紙Ｐの搬送方向を、画像形成部３０に向かう方向に変換する機能を有する。
【００１９】
画像形成部３０は、連続用紙Ｐに黒（Ｋ）、シアン（Ｃ）、マゼンタ（Ｍ）、イエロー（Ｙ）色のトナー像を形成するそれぞれの画像形成ユニット３０Ｋ、３０Ｃ、３０Ｍ、３０Ｙを備えている。
それぞれの画像形成ユニット３０Ｋ、３０Ｃ、３０Ｍ、３０Ｙは、それぞれ感光体ドラム３１、感光体ドラム３１表面を予め定められた電位に帯電する帯電器３２、感光体ドラム３１表面を露光して静電潜像を形成する露光装置３３、感光体ドラム３１表面に形成された静電潜像を各色トナーにより現像する現像装置３４、感光体ドラム３１表面に形成されたトナー像を連続用紙Ｐに転写する転写ロール３５、転写ロール３５の上流側と下流側で、連続用紙Ｐを感光体ドラム３１に押圧する一対の転写案内ロール３６、３７を備えている。
【００２０】
用紙搬送路において、メインドライブロール２１と用紙搬送方向転換ロール２５の間には、連続用紙Ｐに一定の間隔で設けられた送り孔を検出する送り孔検出手段としての第１の検出センサ２６と第２の検出センサ２７が設けられている。
第１の検出センサ２６及び第２の検出センサ２７は、連続用紙Ｐの送り孔を例えば発光素子と受光素子を用いて光学的に検出するもので、第１の検出センサ２６及び第２の検出センサ２７のセンシング位置に送り孔が存在するときと存在しないときでオンオフ状態が切り替わる。このため、第１の検出センサ２６及び第２の検出センサ２７は、連続用紙Ｐの搬送速度と搬送方向における送り孔の搬送方向の長さに対応したパルス幅信号を出力するものとなる。
【００２１】
第１の検出センサ２６及び第２の検出センサ２７は、例えば反射式の光学センサを用いて構成される。また、各々の検出センサ２６、２７は、センサ移動機構（不図示）により、それぞれ用紙幅方向に移動可能に設けられている。このために、取り扱う連続用紙Ｐの用紙幅が変わったときには、それに合わせて各々の検出センサ２６、２７を用紙幅方向の適切な位置に配置させることができる。
【００２２】
定着ユニット４０は、連続用紙Ｐに形成された各色トナー像をフラッシュ定着するフラッシュ定着器４１、フラッシュ定着器４１の下流側にて連続用紙Ｐに張力を付与する張力付与ロール部材４２、張力付与ロール部材４２の下流側にて連続用紙Ｐの経路を幅方向に補正するアライニング部材４３、出口にて連続用紙Ｐをニップし、連続用紙Ｐの搬送速度よりも速い周速で回転して連続用紙Ｐに張力を付与するテンションロール４４を備えている。
【００２３】
表示装置Ｄは、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００２４】
画像形成装置１は、さらに、画像形成装置１全体の動作を制御するシステム制御部５０、用紙搬送ユニット２０を制御する搬送制御部６０、画像形成部３０の動作を制御する画像形成制御部７０、定着ユニット４０の動作を制御する定着制御部８０、表示装置Ｄを制御する表示制御部９０を備えている。
システム制御部５０は、ＣＰＵ（Central  Processing  Unit）、ＲＡＭ（Random  Access  Memory）、ＲＯＭ（Read  Only  Memory）、ＨＤＤ（Hard  Disc  Drive）等の組み合わせからなり、搬送制御部６０、画像形成制御部７０、定着制御部８０、及び表示制御部９０を統括して制御する。
又、それぞれの制御部は、ＣＰＵ(Central Processing Unit)、ＲＯＭ(Read Only Memory)、ＲＡＭ(Random Access Memory)を備え、ＣＰＵが、ＲＯＭに記憶されたプログラムに従い、ＲＡＭとの間でデータのやりとりを行いながら処理を実行することで、各機能が実現される。
【００２５】
上記構成からなる画像形成装置１においては、メインドライブロール２１の回転駆動によって搬送される連続用紙Ｐに対して、それぞれの画像形成ユニット３０Ｋ、３０Ｃ、３０Ｍ、３０Ｙがそれぞれの色のトナー画像を、それぞれ順に重ねて転写する。これにより、連続用紙Ｐに一つのカラー画像が形成される。このカラー画像は、定着ユニット４０によって連続用紙Ｐの紙面に定着される。
【００２６】
（１．２）画像形成装置のブロック構成
図２は本実施形態に係る画像形成装置１の制御系の一部の構成を示すブロック図である。
図２において、システム制御部５０は、信号取得部５１、時間差検出部５２、画像位置補正量演算部５３、画像形成タイミング信号生成部５４、露光制御部５５、用紙搬送制御部５６を含む構成となっている。
第１の検出センサ２６及び第２の検出センサ２７から出力される孔検出信号は、信号取得部５１に取り込まれる。
画像形成タイミング信号生成部５４は、それぞれの画像形成ユニット３０Ｋ、３０Ｃ、３０Ｍ、３０Ｙで各色成分の画像を形成するタイミング信号を生成する。
露光制御部５５は、信号取得部５１から出力されるタイミング信号にしたがって、それぞれの画像形成ユニット３０Ｋ、３０Ｃ、３０Ｍ、３０Ｙにおける露光動作を制御する。
【００２７】
時間差検出部５２は、第１の検出センサ２６及び第２の検出センサ２７から出力されるパルス幅の差により、送り孔の通過時間Ｔ１及びＴ２の時間差（差分）ΔＴ＝Ｔ１−Ｔ２を検出するものである。そして時間差検出部５２の検出結果は、画像位置補正量演算部５３、画像形成タイミング信号生成部５４、露光制御部５５に与えられる。
【００２８】
露光制御部５５は、それぞれの画像形成ユニット３０Ｋ、３０Ｃ、３０Ｍ、３０Ｙにおいて、露光装置３３が感光体ドラム３１の表面に静電潜像を形成する際の露光動作を制御する。
用紙搬送制御部５６は、連続用紙Ｐを搬送するための用紙搬送モータＭを制御して、連続用紙Ｐの搬送速度を制御する。
【００２９】
（２）画像形成装置の用紙搬送制御・作用
以下、本実施形態に係る画像形成装置１における用紙搬送制御について図面を参照しながら説明する。
【００３０】
（２．１）ピンレス搬送
画像形成装置１が起動されると、例えば通信回線を介して画像形成装置１のシステム制御部５０に画像データが入力される。システム制御部５０は、入力された画像データをＫ色、Ｃ色、Ｍ色、Ｙ色それぞれに対応する画像データに分解して、各色の画像データを画像形成制御部７０に送信する。
また、システム制御部５０は、搬送制御部６０を介して用紙搬送ユニット２０を制御し、定着制御部８０を介して定着ユニット４０を制御して、連続用紙Ｐに予め定められた張力を付与しながら、連続用紙Ｐを予め定められた搬送速度で搬送する。
【００３１】
連帳プリンタとしての画像形成装置１おいては、連続用紙Ｐとして両側縁に一定間隔で送り孔が穿設されたトラクタ搬送用の送り孔のある用紙に画像を形成する場合が多いが、フルカラー印刷をする場合には、用紙を高精度に搬送する必要があるために、送り孔にピンを噛合させて搬送するピン搬送機構によらずに摩擦力で搬送する所謂ピンレス搬送が行われている。
従来、ピンレス搬送でトラクタ搬送用の送り孔のある用紙に画像を形成する場合、送り孔を検出するセンサを１つ設け、任意の孔間隔をセンサで検出して、搬送速度の検出や、副走査の露光開始のタイミングを制御していた。
そのために、送り孔の加工の間隔の精度が悪い場合、センサで検出される間隔に孔加工のバラツキが加わり、用紙搬送速度が一定に制御されにくい虞があった。また、主走査方向の搬送位置の検出のために、用紙端面を検出する高価なＣＣＤ（Charge  Coupled  Device）センサや、ラインセンサを必要とする課題があった。
【００３２】
（２．２）画像の書き出し位置制御
本実施形態に係る画像形成装置１は、第１の検出センサ２６及び第２の検出センサ２７によって、連続用紙Ｐに設けられた送り孔の検出を行い、システム制御部５０は、送り孔の検出結果に基づいて、連続用紙Ｐに対する画像の書き出し位置の制御を行う。
具体的には、システム制御部５０は、第１の検出センサ２６及び第２の検出センサ２７が出力する出力信号のパルス幅の差分に基づいて、連続用紙Ｐの主走査方向の搬送位置を検出し、露光装置３３による感光体ドラム３１に対する静電潜像の書き込み位置の補正のための情報を画像形成制御部７０に送信する。
【００３３】
図３（ａ）は、送り孔が設けられた連続用紙Ｐと第１の検出センサ２６及び第２の検出センサ２７との関係を示す図、図３（ｂ）は第１の検出センサ２６及び第２の検出センサ２７の出力信号のパルス幅と連続用紙Ｐの主走査方向の位置との関係を示す部分拡大図、図４は画像の書き出し位置制御動作の一例を示すフローチャートである。
以下、画像の書き出し位置制御について図面を参照しながら詳細に説明する。
【００３４】
図３（ａ）、（ｂ）に示すように、第１の検出センサ２６及び第２の検出センサ２７が連続用紙Ｐの両端部に設けられた送り孔の孔径の１／２の間隔で連続用紙Ｐの搬送方向と直交する主走査方向に直列に配置されている。
そして、連続用紙Ｐの両端部に設けられた送り孔が第１の検出センサ２６及び第２の検出センサ２７を通過する間にそれぞれの検知センサがＯＮになる時間（通過時間）Ｔ１及びＴ２が出力信号のパルス幅として信号取得部５１に取り込まれる（Ｓ１０１）。
【００３５】
時間差検出部５２においては、信号取得部５１に取り込まれた通過時間Ｔ１及びＴ２の時間差（差分）ΔＴ＝Ｔ１−Ｔ２を算出する（Ｓ１０２）。
そして、算出された時間差の有無が判断され（Ｓ１０３）、時間差がない（ΔＴ＝０）場合（Ｓ１０３：Ｎｏ）には、連続用紙Ｐは予定された主走査方向の位置（以降ノミナル位置と記す）で搬送されていると判断され、画像書き出し位置の補正はなされない（Ｓ１０６）。
【００３６】
時間差がある場合（Ｓ１０３：Ｙｅｓ）には、画像位置補正量演算部５３において、算出された時間差ΔＴに基づいて、画像予め定められた主走査方向画像書き出し位置の補正値Ｍが決定される（Ｓ１０４）。
ここで、時間差がΔＴ＞０である場合には、連続用紙Ｐがノミナル位置よりも右側にずれて搬送されていると判断される。
また、時間差がΔＴ＜０である場合には、連続用紙Ｐがノミナル位置よりも左側にずれて搬送されていると判断される。
【００３７】
画像形成タイミング信号生成部５４は決定された補正値Ｍに基づいて、それぞれの画像形成ユニット３０Ｋ、３０Ｃ、３０Ｍ、３０Ｙで各色成分の画像を形成するタイミング信号を生成する。
そして、露光制御部５５を介して、露光装置３３による感光体ドラム３１に対する静電潜像の主走査方向の書き込み位置の補正のための情報を画像形成制御部７０に送信し、主走査方向の書き出し位置を制御する（Ｓ１０５）。
【００３８】
尚、送り孔の穿孔位置が一定のバラツキを含む虞がある場合には、複数の送り孔の中心位置情報から送り孔の主走査方向の位置の平均値を算出する。以下、図５を参照しながら送り孔の主走査方向のずれ量の算出について詳述する。
【００３９】
図５は連続用紙Ｐがノミナル位置に対して左側にずれて搬送されている状態（ΔＴ＜０）の送り孔位置と第１の検出センサ２６及び第２の検出センサ２７との位置関係を示す。
送り孔の半径をｒ、連続用紙Ｐの副走査方向における搬送速度をＶ、第１の検出センサ２６及び第２の検出センサ２７の配置間隔をＸｓとしたときに、ずれ量ｘは次式（１）、（２）で表される。
Ｌ２＝（ｒ２−（Ｖ×Ｔ２／２）２）１／２・・・（１）
ｘ＝Ｌ２−Ｘｓ／２・・・（２）
すなわち、連続用紙Ｐの両端部に設けられたそれぞれの送り孔の中心位置は、ずれ量ｘとして算出される。
その結果、一の送り孔の中心位置のずれ量をｘ１、それに続く送り孔の中心位置のずれ量をｘ２、・・・としたときに、これら複数の送り孔の中心位置からのずれ量の平均値ｘｍを（３）式によって求めることができる。
ｘｍ＝（ｘ１＋ｘ２＋・・・＋ｘｎ）／ｎ・・・（３）
そして、求められた平均値ｘｍからのずれ量に基づいて、予め定められた主走査方向画像書き出し位置の補正値Ｍを決定することができる。
【００４０】
連続用紙Ｐがノミナル位置に対して右側にずれて搬送されている状態（ΔＴ＞０）も同様にして送り孔の中心位置として、ずれ量を算出することができる。
また、第１の検出センサ２６及び第２の検出センサ２７は連続用紙Ｐの両端部に設けられた送り孔の孔径の１／２の距離（配置間隔）で配置されることが望ましい。
配置間隔が送り孔の孔径の１／２を超えている場合、連続用紙Ｐのノミナル位置からのずれ量が大きいときに検知することができなくなる虞がある。配置間隔が送り孔の孔径の１／２よりも小さい場合、第１の検出センサ２６及び第２の検出センサ２７の出力信号のパルス幅の差が少なりなり、時間差ΔＴの差分を算出できなくなる虞がある。
【００４１】
尚、第１の検出センサ２６及び第２の検出センサ２７のいずれかにおいて出力信号が出力されないとき、または第１の検出センサ２６及び第２の検出センサ２７のいずれかにおいて予め定められた時間に出力信号が出力されないときには、システム制御部５０はその旨を表示制御部９０に表示して、エラー状態を速やかに通知することができる。
【００４２】
（２．３）作用・効果
本実施形態に係る画像形成装置１は、第１の検出センサ２６及び第２の検出センサ２７が連続用紙Ｐの両端部に設けられた送り孔の孔径の１／２の間隔で連続用紙Ｐの搬送方向と直交する主走査方向に直列に配置され連続用紙Ｐに設けられた送り孔の検出を行う。
そのために、主走査方向の搬送位置の検出に際し、用紙端面を検出する高価なＣＣＤ（Charge  Coupled  Device）センサや、ラインセンサを必要とせず、低コストで送り孔の検出結果に基づいて、連続用紙Ｐに対する画像の書き出し位置の制御を行うことができる。
また、複数の送り孔の中心位置情報から送り孔の主走査方向の位置の平均値を算出するために、送り孔の穿孔位置がバラツキを含む場合であっても、安定して画像の書き出し位置の制御を行うことができる。
【００４３】
「第２実施形態」
本実施形態に係る画像形成装置１Ａは、第１の検出センサ２６及び第２の検出センサ２７が連続用紙Ｐの搬送方向及び直交する方向に互いにずれて配置されている点で第１実施形態に係る画像形成装置１と異なる。従って、以下の説明において第１実施形態と同一の構成要素には同一の符号を付してその詳細な説明は省略する。
【００４４】
（１）用紙搬送制御・作用
（１．１）搬送速度制御
図６（ａ）は、送り孔が設けられた連続用紙Ｐと第１の検出センサ２６及び第２の検出センサ２７との関係を示す図、図６（ｂ）は第１の検出センサ２６及び第２の検出センサ２７の出力信号に基づいた連続用紙Ｐの搬送速度検出を説明した図である。
以下、連続用紙Ｐの搬送速度制御について図面を参照しながら詳細に説明する。
【００４５】
図６（ａ）、（ｂ）に示すように、第１の検出センサ２６及び第２の検出センサ２７が連続用紙Ｐの搬送方向及び直交する方向に互いにずれて配置されている。
そして、連続用紙Ｐの両端部に設けられた送り孔が第１の検出センサ２６及び第２の検出センサ２７を通過するときにそれぞれの検知センサがＯＮになるタイミングが出力信号のパルスとして信号取得部５１に取り込まれる。
【００４６】
時間差検出部５２においては、取り込まれたパルスはパルス幅が異なり単純にタイミング差を算出することができないため、パルス幅の中点を求め、それぞれの中点間のタイミング差（検出時間差）Ｔｓを算出する。そして、第１の検出センサ２６及び第２の検出センサ２７の用紙搬送方向におけるセンサ間距離Ｌｓを算出されたタイミング差Ｔｓで除して、搬送される連続用紙Ｐの搬送速度Ｖが（４）式で算出され、用紙搬送速度として検出される。
Ｖ＝Ｌｓ／Ｔｓ・・・（４）
その結果、送り孔の穿孔位置にバラツキがある場合、例えば用紙搬送方向における送り孔の間隔が図６（ｂ）に模式的に示すようにＬ１とＬ２で異なっている場合であっても、検出された連続用紙Ｐの搬送速度Ｖは、送り孔の孔間隔に影響を受けることが無い。
【００４７】
次に、検出された搬送速度Ｖと予め定められた搬送速度Ｖ０との差分を算出し、算出された搬送速度差ΔＶ（ΔＶ＝Ｖ０−Ｖｓ）に基づいて、連続用紙Ｐの搬送速度の補正値Ｎが決定される。
そして、用紙搬送制御部５６は決定された補正値Ｍに基づいて、メインドライブロール２１の駆動源となる用紙搬送モータＭを制御して、連続用紙Ｐの搬送速度Ｖを制御する。
【００４８】
（１．２）画像の画き出し位置制御
連続用紙Ｐの搬送速度Ｖの補正は、用紙搬送の進み遅れを解消するために行なわれる。用紙搬送速度を補正するにあたっては、速度変動による画質への影響を小さくするために、搬送速度が徐々に変化するように実施する必要がある。
このため、補正可能な期間の制限などにより、用紙搬送速度の補正だけでは、上述した搬送速度差ΔＶ相当分の誤差を補正し切れない場合も考えられ、用紙搬送速度に加えて副走査方向の画像画き出し位置の補正を行うことができる。
【００４９】
具体的には、信号取得部５１に取り込まれた、第１の検出センサ２６又は第２の検出センサ２７の出力信号がＯＮになるタイミングｔ１と予め定められたタイミングｔ０との差分Δｔ（Δｔ＝ｔ０−ｔ１）を算出する。
そして、画像位置補正量演算部５３において、算出されたタイミング差Δｔに基づいて、副走査方向画像書き出し位置の補正値Ｍが決定される。
画像形成タイミング信号生成部５４は決定された補正値Ｍに基づいて、それぞれの画像形成ユニット３０Ｋ、３０Ｃ、３０Ｍ、３０Ｙで各色成分の画像を形成するタイミング信号を生成する。
そして、露光制御部５５を介して、露光装置３３による感光体ドラム３１に対する静電潜像の副走査方向の書き込み位置の補正のための情報を画像形成制御部７０に送信し、副走査方向の書き出し位置を制御する。
【００５０】
本実施形態に係る画像形成装置１Ａは、第１の検出センサ２６及び第２の検出センサ２７によって、連続用紙Ｐに設けられた送り孔の検出を行い、連続用紙Ｐに対する主走査方向の画像の書き出し位置の制御を行うこともできる。
図７は第１の検出センサ２６及び第２の検出センサ２７の出力信号のパルス幅と連続用紙Ｐの主走査方向の位置との関係を示す部分拡大図である。
【００５１】
第１実施形態に係る画像形成装置１と同様に、連続用紙Ｐの両端部に設けられた送り孔が第１の検出センサ２６及び第２の検出センサ２７を通過する間にそれぞれの検知センサがＯＮになる時間（通過時間）Ｔ１及びＴ２が出力信号のパルス幅として信号取得部５１に取り込まれる。
【００５２】
時間差検出部５２においては、信号取得部５１に取り込まれた通過時間Ｔ１及びＴ２の時間差（差分）ΔＴ＝Ｔ１−Ｔ２を算出され、算出された時間差ΔＴに基づいて、画像予め定められた主走査方向画像書き出し位置の補正値Ｍが決定される。
そして、決定された補正値Ｍに基づいて、主走査方向の書き出し位置を制御する。
【００５３】
（２）作用・効果
本実施形態に係る画像形成装置１Ａは、第１の検出センサ２６及び第２の検出センサ２７が連続用紙Ｐの搬送方向及び直交する方向に互いにずれて配置されている。
そして、時間差検出部５２においては、第１の検出センサ２６及び第２の検出センサ２７から取り込まれたパルスのタイミング差（検出時間差）Ｔｓと、第１の検出センサ２６及び第２の検出センサ２７の用紙搬送方向におけるセンサ間距離Ｌｓから、搬送される連続用紙Ｐの搬送速度Ｖを検出する。
【００５４】
検出センサが一つの場合は、少なくとも二つ以上の送り孔を用いて連続用紙Ｐの搬送速度を検出するため、送り孔の加工の間隔の精度が悪く、送り孔の穿孔位置にバラツキがあると、検出された搬送速度と実際の速度とにずれが生じる。
本実施形態によれば、一つの送り孔を用いて連続用紙Ｐの搬送速度を検出するために、送り孔の穿孔位置にバラツキがある場合であっても、検出された連続用紙Ｐの搬送速度Ｖは、送り孔の孔間隔に影響を受けることが無い。そのために、送り孔間隔の加工精度の影響を排除して用紙搬送速度を制御することができる。
更に、主走査方向のずれも同一の検出センサで検出することができ、用紙端面を検出する高価なＣＣＤ（Charge  Coupled  Device）センサやラインセンサを必要とせず、低コストで連続用紙Ｐに対する画像の書き出し位置の制御を行うことができる。
【００５５】
以上、本発明に係る実施形態を詳述したが、本発明は上記実施形態に限定されるものではなく、特許請求の範囲に記載された本発明の要旨の範囲内で種々の変更を行うことが可能である。例えば、本実施形態では画像形成装置１、１Ａはカラープリンタとして説明しているが、モノクロプリンタであっても良い。
【符号の説明】
【００５６】
１、１Ａ・・・画像形成装置
２０・・・用紙搬送ユニット
２１・・・メインドライブロール
２２・・・アライニングロール
２３・・・案内部材
２４・・・バックテンションロール
２５・・・用紙搬送方向転換ロール
２６・・・第１の検出センサ
２７・・・第２の検出センサ
３０・・・画像形成部
３１・・・感光体ドラム
３２・・・帯電器
３３・・・露光装置
３４・・・現像装置
３５・・・転写ロール
３６、３７・・・転写案内ロール
４０・・・定着ユニット
４１・・・フラッシュ定着器
４２・・・張力付与ロール部材
４３・・・アライニング部材
４４・・・テンションロール
５０・・・システム制御部
５１・・・信号取得部
５２・・・時間差検出部
５３・・・画像位置補正量演算部
５４・・・画像形成タイミング信号生成部
５５・・・露光制御部
５６・・・用紙搬送制御部
６０・・・搬送制御部
７０・・・画像形成制御部
８０・・・定着制御部
９０・・・表示制御部
３００・・・給紙装置
４００・・・巻取装置
Ｄ・・・表示装置
【図１】
2014172200.tif 000003
【図２】
2014172200.tif 000004
【図３】
2014172200.tif 000005
【図４】
2014172200.tif 000006
【図５】
2014172200.tif 000007
【図６】
2014172200.tif 000008
【図７】
2014172200.tif 000009